(57)【要約】データ授受システム（１）は、表示装置（２００）と携帯情報端末（１００）とを備える。表示装置（２００）は、画像を表示する第１表示画面（２０２）を有する第１表示パネル（２０１）と、第１表示画面（２０１）に携帯情報端末（１００）が近接したことを検出する端末検出部（２１２）と、端末検出部（２１２）により携帯情報端末（１００）が近接したことを検出した場合に、他の装置における、データの保存場所の情報を示す画像である保存場所画像を前記第１表示画面（２０１）に表示させる第１表示処理部（２１３）と、を備える。
2015173907.tif 000002
【特許請求の範囲】
【請求項１】
表示装置と携帯情報端末とを備えるデータ授受システムであって、
前記表示装置は、
画像を表示する第１表示画面を有する第１表示パネルと、
前記第１表示画面に前記携帯情報端末が近接したことを検出する端末検出部と、
前記端末検出部により前記携帯情報端末が近接したことを検出した場合に、他の装置における、データの保存場所の情報を示す画像である保存場所画像を前記第１表示画面に表示させる第１表示処理部と、を備える
ことを特徴とするデータ授受システム。
【請求項２】
前記携帯情報端末は、
撮像部と、
前記撮像部が撮像した前記保存場所画像に基づき、前記保存場所の情報を取得する情報取得部と、
をさらに備えることを特徴とする請求項１に記載のデータ授受システム。
【請求項３】
前記表示装置は、
前記保存場所に保存されたデータを取得し、または、前記保存場所にデータを保存する第１入出力処理部をさらに備え、
前記携帯情報端末は、
前記保存場所に保存されたデータを取得し、または、前記保存場所にデータを保存する第２入出力処理部を備える
ことを特徴とする請求項２に記載のデータ授受システム。
【請求項４】
前記第１表示処理部は、
前記携帯情報端末に送る第１データを示す画像である第１データ画像を前記第１表示画面に表示させるとともに、
前記第１データ画像を所定の第１領域に移動させる第１操作を検出する第１操作検出部と、
前記第１操作検出部が前記第１操作を検出した場合に、前記第１データの取得の指示情報を示す画像である指示画像を前記第１表示画面に表示させる指示画像表示部と、をさらに備え、
前記情報取得部は、
前記撮像部が撮像した前記指示画像に基づき、前記指示情報をさらに取得する
ことを特徴とする請求項３に記載のデータ授受システム。
【請求項５】
前記第１操作検出部が前記第１操作を検出した場合に、前記第１入出力処理部は、前記保存場所に前記第１データを保存し、
前記情報取得部が前記指示情報を取得した場合に、前記第２入出力処理部は、前記保存場所に保存された前記第１データを取得する
ことを特徴とする請求項４に記載のデータ授受システム。
【請求項６】
前記所定の第１領域は、前記携帯情報端末の近接した、前記第１表示画面の一部の領域である
ことを特徴とする請求項４又は５に記載のデータ授受システム。
【請求項７】
前記携帯情報端末は、
画像を表示する第２表示画面を有する第２表示パネルと、
前記表示装置に送る第２データを示す画像である第２データ画像を前記第２表示画面に表示させる第２表示処理部と、
前記第２データ画像を所定の第２領域に移動させる第２操作を検出する第２操作検出部と、をさらに備え、
前記第２操作検出部が前記第２操作を検出した場合に、前記第２入出力処理部は、前記保存場所に前記第２データを保存し、
前記第１入出力処理部は、前記保存場所に保存された前記第２データを取得する
ことを特徴とする請求項３から請求項６の何れか一項に記載のデータ授受システム。
【請求項８】
前記第２表示処理部は、前記表示装置を示す画像である表示装置画像を前記第２表示画面に表示させ、
前記所定の第２領域は、前記表示装置画像の表示された、前記第２表示画面の一部の領域である
ことを特徴とする請求項７に記載のデータ授受システム。
【請求項９】
前記保存場所画像は、時間の経過に応じて輝度値を変化させた画像である
ことを特徴とする請求項１から請求項８の何れか一項に記載のデータ授受システム。
【請求項１０】
前記他の装置は、
クラウドサービスを提供する１又は複数のクラウドサーバで構成される
ことを特徴とする請求項1から請求項９の何れか一項に記載のデータ授受システム。
【請求項１１】
請求項１から請求項１０の何れか一項に記載のデータ授受システムの表示装置。
【請求項１２】
請求項１から請求項１０の何れか一項に記載のデータ授受システムの携帯情報端末。
【請求項１３】
表示装置と携帯情報端末とを備えるデータ授受システムのデータ授受方法であって、
前記表示装置は、画像を表示する第１表示画面を有する第１表示パネルと、前記第１表示画面に前記携帯情報端末が近接したことを検出する端末検出部と、を備え、
前記端末検出部により前記携帯情報端末が近接したことを検出した場合に、他の装置における、データの保存場所の情報を示す画像である保存場所画像を前記第１表示画面に表示させるステップ
を含むことを特徴とするデータ授受方法。
【発明の詳細な説明】
【技術分野】
【０００１】
本発明は、表示パネルを備える表示装置と携帯情報端末との間でデータの授受を行うデータ授受システム、表示装置、携帯情報端末、データ授受方法、及びプログラムに関する。
【背景技術】
【０００２】
表示装置と携帯情報端末との間でデータを授受するデータ授受システムがある（特許文献１を参照）。この特許文献１に記載のデータ授受システムは、表示装置と携帯情報端末とを直接接続して、表示装置と携帯情報端末との間でデータを送受信する。
【先行技術文献】
【特許文献】
【０００３】
【特許文献１】特開２０１１−９０４７７号公報
【発明の概要】
【発明が解決しようとする課題】
【０００４】
上述の特許文献１に開示されているように、表示装置と携帯情報端末との間でデータを授受するためには、表示装置と携帯情報端末とを直接接続してデータを送受信すればよい。しかしながら、表示装置と携帯情報端末とを直接接続するためには、ケーブルの接続、或いは無線によるペアリング操作等が必要となり、設定が煩雑になる。【０００５】
本発明の課題は、携帯情報端末と表示装置との間のケーブルの接続や無線によるペアリング操作等を行うことなく、携帯情報端末と表示装置との間でデータを授受することができる、データ授受システム、表示装置、携帯情報端末、データ授受方法、及びプログラムを提供することにある。
【課題を解決するための手段】
【０００６】
本発明の第１の態様のデータ授受システムは、表示装置と携帯情報端末とを備えるデータ授受システムであって、前記表示装置は、画像を表示する第１表示画面を有する第１表示パネルと、前記第１表示画面に前記携帯情報端末が近接したことを検出する端末検出部と、前記端末検出部により前記携帯情報端末が近接したことを検出した場合に、他の装置における、データの保存場所の情報を示す画像である保存場所画像を前記第１表示画面に表示させる第１表示処理部と、を備えることを特徴とする。【０００７】
また、本発明の第２の態様の表示装置は、上記のデータ授受システムの表示装置である。【０００８】
また、本発明の第３の態様の携帯情報端末は、上記の何れかに記載のデータ授受システムの携帯情報端末である。【０００９】
また、本発明の第４の態様のデータ授受方法は、表示装置と携帯情報端末とを備えるデータ授受システムのデータ授受方法であって、前記表示装置は、画像を表示する第１表示画面を有する第１表示パネルと、前記第１表示画面に前記携帯情報端末が近接したことを検出する端末検出部と、を備え、前記端末検出部により前記携帯情報端末が近接したことを検出した場合に、他の装置における、データの保存場所の情報を示す画像である保存場所画像を前記第１表示画面に表示させるステップを含むことを特徴とする。
【発明の効果】
【００１０】
本発明によれば、携帯情報端末と表示装置との間のケーブルの接続や無線によるペアリング操作等を行うことなく、携帯情報端末と表示装置との間でデータを授受することができる利点がある。
【図面の簡単な説明】
【００１１】
【図１】本発明のデータ授受システムの概略構成を示す説明図である。
【図２Ａ】データ授受システム１における携帯情報端末１００の第１の配置例を示す説明図である。
【図２Ｂ】データ授受システム１における携帯情報端末１００の第２の配置例を示す説明図である。
【図３Ａ】表示装置２００におけるデータのドラグアンドドロップ操作を示す説明図である。
【図３Ｂ】携帯情報端末１００におけるデータのドラグアンドドロップ操作を説明するための説明図である。
【図４】データ授受システム１における携帯情報端末１００と表示装置２００とクラウドサーバ３００の構成例を示す構成図である。
【図５】データ授受システム１において行われるデータ送受信処理の概要を示すフローチャートである。
【図６】携帯情報端末１００と表示装置２００との間のコネクト処理の流れを示すシーケンス図である。
【図７】携帯情報端末１００と表示装置２００との間のディスコネクト処理の流れを示すシーケンス図である。
【図８】表示装置２００のデータを携帯情報端末１００に送信する処理の流れを示すシーケンス図である。
【図９】クラウドサーバ３００のデータを携帯情報端末１００に送信する処理の流れを示すシーケンス図である。
【図１０】携帯情報端末１００のデータを表示装置２００に送信する処理の流れを示すシーケンス図である。
【図１１】本発明のデータ授受システムをプロジェクタに適用した例を示す説明図である。
【発明を実施するための形態】
【００１２】
以下、図面を参照しつつ、本発明の好適な実施例について説明する。ただし、本発明は以下の各実施例に限定されるものではなく、例えばこれら実施例の構成要素同士を適宜組み合わせてもよい。
【００１３】
図１は、本発明のデータ授受システムの概略構成を示す説明図である。
本発明のデータ授受システム１では、ユーザＵ１によって操作される携帯情報端末１００と、ユーザＵ２によって操作される表示装置２００とが、クラウドサービス３０１を利用してデータの授受を行う。携帯情報端末１００は、ＣＣＤカメラ等の撮像部を備え、表示装置２００は、光学式タッチパネル等のタッチパネルを有する表示画面を備えている。この表示装置２００は、ノートパソコンの他、タブレット端末であってもよく、また、デスクトップ型のパソコンであってもよい。
【００１４】
このデータ授受システム１において、表示装置２００のタッチパネル式の表示画面２０２上に携帯情報端末１００を配置するか、或いは、表示装置２００の表示画面２０２に近接して携帯情報端末１００を配置することにより、携帯情報端末１００と表示装置２００とが自動的に連携する。そして、連携する携帯情報端末１００と表示装置２００とが、クラウドサービス３０１を介して、データの送受信を行う。
なお、連携する携帯情報端末１００と表示装置２００との組は、複数の組であってもよい。
また、クラウドサービス３０１を介して送受信されるデータには、ファイル形式のデータの他、ファイル形式ではないデータ（例えばストリーミング型の動画データ）も含まれる。
【００１５】
上記クラウドサービス３０１は、クラウドコンピューティングによって提供されるサービスの総称であり、複数のクラウドサーバ３００ａ、３００ｂ、・・・、３００ｃが連携し合い、クラウド（雲）と呼ばれる一個のコンピュータリソースとして形成されている。
なお、図１では、クラウドサービス３０１を、複数のクラウドサーバ３００ａ、３００ｂ、・・・、３００ｃが連携して提供する例を示しているが、クラウドサービス３０１の提供を、１つのクラウドサーバで行うようにしてもよい。また、以下の説明において、複数のクラウドサーバ３００ａ、３００ｂ、・・・、３００ｃを総称する場合は、「クラウドサーバ３００」と呼ぶ。
【００１６】
そして、上記データ授受システム１において、表示装置２００は、携帯情報端末１００が近接したことを検出した場合に、クラウドサーバ３００（他の装置）におけるデータの保存場所を含むＵＲＬ（Uniform Resource Locator）情報等を、画像情報（保存場所画像）として表示画面２０２（第１表示画面）に表示する。例えば、表示装置２００は、表示画面上に表示した画像を、時間の経過に応じて輝度値を変化させ表示（以下、「点滅表示」とも呼ぶ）することにより、携帯情報端末１００に向けてＵＲＬ情報等を発信する。この画像の点滅表示を行う際に、例えば、予め点灯時間の長さと消灯時間の長さとの組み合わせをコード化しておくことにより、表示装置２００は、ＵＲＬ情報等を携帯情報端末１００に向けて発信することができる。
【００１７】
携帯情報端末１００は、表示画面２０２に表示された画像情報を撮像し、撮像した画像情報から、クラウドサーバ３００におけるデータの保存場所を示すＵＲＬ情報等を取得する。そして、携帯情報端末１００は、データの保存場所を示すＵＲＬ情報に基づいて、クラウドサーバ３００に保存されたデータを取得する。或いは、携帯情報端末１００は、データの保存場所を示すＵＲＬ情報に基づいて、クラウドサーバ３００にデータを送信して保存させる。
このように、表示装置２００は、表示画面２０２に画像情報を表示することにより、携帯情報端末１００に向けて情報を発信することができる。このため、データ授受システム１では、ケーブルの接続や無線によるペアリング操作等を行うことなく、携帯情報端末１００と表示装置２００との間で、クラウドサーバ３００を介してデータを授受することができる。
【００１８】
図２Ａは、データ授受システム１における携帯情報端末１００の第１の配置例を示す説明図であり、表示装置２００において、タッチパネル式の表示画面２０２上に携帯情報端末１００を直に配置する例を示している。
この図２Ａに示すように、例えば、タッチパネル式の表示画面２０２上に携帯情報端末１００を配置することで、表示装置２００は、表示画面２０２上に携帯情報端末１００が配置されたことを検出する。そして、表示装置２００は、表示画面２０２上に配置された携帯情報端末１００を囲う円形の領域にウィンドウ２０３を表示する。また、携帯情報端末１００が、表示画面２０２上から撤去された場合、表示装置２００は、円形のウィンドウ２０３の表示を消去する。なお、円形のウィンドウ２０３は、円形に限定されず、楕円形や、多角形の形状であってもよい。また、円形のウィンドウ２０３を、単に「ウィンドウ２０３」と呼ぶことがある。
【００１９】
このように、表示装置２００では、携帯情報端末１００をタッチパネル式の表示画面２０２上に置く動作と、撤去する動作とを検出することにより、これらの動作を、データ転送用のアプリケーションの起動、終了操作と連動させることができる。このため、データ転送用のアプリケーション起動、終了操作を簡略化することができる。
また、タッチパネル式の表示画面２０２上に携帯情報端末１００を配置する場合、表示画面２０２上に配置する携帯情報端末１００の形状（大きさ）や場所にかかわらず、携帯情報端末１００の形状と位置の検知が可能になる。
また、表示装置２００は、ウィンドウ２０３を点滅表示させて、携帯情報端末１００に向けて情報を送信する際に、送信する情報量を小さくするために、クラウドサービス３０１におけるデータの保存場所を示すＵＲＬ情報として、ＵＲＬの表示を短くして表示する短縮ＵＲＬを用いることができる。
【００２０】
このように、表示装置２００は、ウィンドウ２０３の点滅表示により、携帯情報端末１００に向け情報を発信するため、表示画面２０２上に携帯情報端末１００を置いたままで、撮像部のＣＣＤカメラのピントが合わない状態においても通信が可能になる。
また、例えば、表示画面２０２上で端末位置に表示するウィンドウ２０３を円形とすることで、端末位置の検知ずれによる通信不良を防ぎ、また表示画面２０２上における必要以上の面積的な占有を防いでファイル移動操作を阻害することを回避できる。
【００２１】
また、図２Ｂは、データ授受システム１における携帯情報端末１００の第２の配置例を示す説明図である。この図２Ｂは、表示装置２００Ａにおいて、キーボード等が配置される操作部側の面上の所定の位置Ａに携帯情報端末１００を配置する例を示している。
この図２Ｂに示すように、操作部側の所定の位置Ａに携帯情報端末１００を配置する場合、ユーザは、撮像部（不図示）が表示画面２０２の方向を向くようにして、携帯情報端末１００を配置する。表示装置２００Ａは、この所定の位置Ａに携帯情報端末１００を配置されたことをセンサ（例えば、感圧センサ等）により検出する。これにより、表示装置２００Ａは、表示画面２０２に近接して携帯情報端末１００が配置されたことを検出して、表示画面２０２上の所定の領域に、携帯情報端末１００を検出したことを示す画像２０４と、この画像２０４を囲う円形の領域にウィンドウ２０３を表示する。また、表示装置２００Ａは、携帯情報端末１００が所定の位置Ａから撤去された場合に、表示画面２０２に表示した画像２０４と円形のウィンドウ２０３とを消去する。
【００２２】
そして、表示装置２００Ａでは、携帯情報端末１００を表示画面２０２に近接させて配置する動作と、撤去する動作とを検出することにより、これらの動作を、データ転送用のアプリケーションの起動、終了操作と連動させることができる。このため、データ転送用のアプリケーション起動、終了操作を簡略化することができる。なお、表示装置２００Ａにおいても、表示画面２０２はタッチパネル式の表示画面として形成されている。
【００２３】
なお、図２Ａに示す表示装置２００と、図２Ｂに示す表示装置２００Ａとは、携帯情報端末１００の配置方法と当該携帯情報端末１００の検出方法とだけが異なるものであり、その他の基本的な動作は同じである。このため、表示装置２００と表示装置２００Ａとを総称する場合は、表示装置２００と呼ぶ。そして、表示装置２００Ａを特に区別して示す必要がある場合は、表示装置２００Ａと呼ぶ。
【００２４】
また、図３Ａは、表示装置２００におけるデータのドラグアンドドロップ操作を示す説明図である。
図３Ａに示すように、例えば、表示装置２００におけるデスクトップ画面もしくはエクスプローラなどのファイル操作を行う操作画面である表示画面２０２上に、携帯情報端末１００に送付する対象となるデータを示す画像２０５を表示する。そして、ユーザが、この画像２０５を、マウスなどを用いた操作やタッチ操作により矢印Ａで示す方向にドラッグし、円形のウィンドウ２０３上もしくはその近傍の領域へドロップすることで、表示装置２００から携帯情報端末１００へのクラウドサーバ３００を介したデータの送信が開始される。
このように、表示装置２００において、データの転送は、表示画面２０２上でのドラグアンドドロップ操作によって開始されるため、ユーザにとっては、簡易かつ直感的な操作が可能になる。
【００２５】
また、図３Ｂは、携帯情報端末１００におけるデータのドラグアンドドロップ操作を示す説明図である。この図３Ｂに示すように、携帯情報端末１００は、自身が保存しているデータであって表示装置２００へ送付する対象となるデータを示す画像１０３を、表示画面１０２上に表示する。そして、ユーザが、画像１０３を、タッチ操作により矢印Ａで示す枠外方向へドラッグすることで、携帯情報端末１００から表示装置２００へのクラウドサーバ３００を介したデータの送信が開始される。
【００２６】
或いは、表示装置２００を示す画像１０４を表示画面１０２上に表示する。そして、ユーザが、画像１０３を、タッチ操作により矢印Ｂで示す方向にドラッグし、表示装置２００を示す画像１０４上もしくはその近傍の領域へドロップすることで、携帯情報端末１００から表示装置２００へのクラウドサービス３０１を介したデータの送信が開始される。
このように、携帯情報端末１００において、データの転送は、表示画面１０２上でのドラグアンドドロップ操作によって開始されるため、ユーザにとっては、簡易かつ直感的な操作が可能になる。
【００２７】
図４は、データ授受システム１における携帯情報端末１００と表示装置２００とクラウドサーバ３００の構成例を示す構成図である。この図４では、携帯情報端末１００と表示装置２００とクラウドサーバ３００とのそれぞれについて、本発明に直接関係する部分のみを示している。
【００２８】
［携帯情報端末１００の構成］
この図４に示すデータ授受システム１において、携帯情報端末１００は、第２表示パネル１０１と、表示画面１０２と、通信処理部１１１と、データ入出力処理部１１２と、表示処理部１１３と、操作検出部１１４と、画像情報取得部１１５と、撮像部１１６と、記憶部１２１と、を備えている。 
【００２９】
第２表示パネル１０１は、表示画面１０２（第２表示画面）を有しており、この表示画面１０２は、液晶表示パネルと、この液晶表示パネルの表示面上に配置されるタッチパネルと、で構成されるタッチパネル式の表示画面である。タッチパネルは、例えば、光学式タッチパネルである。このタッチパネルにユーザがタッチ操作を行うことで、表示画面１０２は、タッチ操作が行われた位置を検出する。
通信処理部１１１は、通信ネットワーク１０を介して、クラウドサーバ３００との間でデータの送受信を行う。
【００３０】
撮像部１１６は、ＣＣＤカメラ等を備えており、表示装置２００の表示画面２０２に表示されるウィンドウ２０３を画像情報として撮像する。
画像情報取得部１１５（情報取得部）は、撮像部１１６により撮像された画像情報に基づいて、クラウドサーバ３００に保存されたデータの保存場所を示すＵＲＬ情報を取得する。また、表示装置２００から指示されるデータ保存指示等の指示情報を取得する。
データ入出力処理部１１２（第２入出力処理部）は、クラウドサーバ３００に保存されたデータの保存場所を示すＵＲＬ情報に基づいて、クラウドサーバ３００からデータを取得する。また、データ入出力処理部１１２は、自身が保存しているデータをクラウドサーバ３００に送信して保存させる。
【００３１】
表示処理部１１３（第２表示処理部）は、図３Ｂに示すように、自身が保存しているデータであって表示装置２００に送る対象となるデータを示す画像１０３を、表示画面１０２上の所定の位置に表示させるとともに、表示装置２００を示す所定の画像１０４を表示画面１０２上の所定の位置に表示させる。
操作検出部１１４（第２操作検出部）は、表示画面１０２に表示されたデータを示す画像１０３をタッチ操作により移動させる操作を検出する。例えば、図３Ｂに示すように、操作検出部１１４は、タッチ操作により、画像１０３が枠外方向へドラッグされたことを検出する。或いは、操作検出部１１４は、タッチ操作により画像１０３がドラッグされ、表示装置２００を示す画像１０４上もしくはその近傍の領域へドロップされる操作が行われたことを検出する。
【００３２】
［表示装置２００の構成］
表示装置２００は、第１表示パネル２０１と、通信処理部２１１と、端末検出部２１２と、表示処理部２１３（第１表示処理部）と、指示情報生成部２１４と、操作検出部２１５と、データ入出力処理部２１６（第１入出力処理部）と、記憶部２２１と、を備えている。 
第１表示パネル２０１は、表示画面２０２（第１表示画面）を有しており、この表示画面２０２は、液晶表示パネルと、この液晶表示パネルの表示面上に配置されるタッチパネルと、で構成されるタッチパネル式の表示画面である。タッチパネルは、例えば、光学式タッチパネルである。このタッチパネルにユーザがタッチ操作を行うことで、表示画面１０２は、タッチ操作が行われた位置を検出する。
【００３３】
通信処理部２１１は、通信ネットワーク１０を介して、クラウドサーバ３００との間でデータの送受信を行う。
端末検出部２１２は、携帯情報端末１００が表示画面２０２に近接して配置されたことを検出する。例えば、端末検出部２１２は、タッチパネル式の表示画面２０２上に携帯情報端末１００が配置されたことを検出する。或いは、表示装置２００Ａ（図２Ｂ参照）の場合、端末検出部２１２は、携帯情報端末１００が表示画面２０２に近接した所定の位置に配置されたことを検出する。
【００３４】
表示処理部２１３（第１表示処理部）は、携帯情報端末１００に向けて送信する画像情報を表示画面２０２（第１表示画面）に表示する。この表示処理部２１３は、端末検出部２１２により表示画面２０２に携帯情報端末１００が近接して配置されたことが検出された場合に、携帯情報端末１００の位置に応じた表示画面１０２上の領域に、携帯情報端末１００を検出したことを示すウィンドウ２０３を表示する。或いは、表示装置２００Ａの場合、図２Ｂに示すように、表示処理部２１３は、携帯情報端末１００の位置Ａに応じた表示画面１０２上の所定の領域に、携帯情報端末１００を検出したことを示すウィンドウ２０３を表示する。
【００３５】
また、表示処理部２１３は、指示情報生成部２１４により、クラウドサーバ３００に保存されたデータの保存場所のＵＲＬ情報を含む「保存指示情報」を生成し、時間の経過に応じて輝度値を変化させて、この「保存指示情報」を表示するウィンドウ２０３（画像情報）により、携帯情報端末１００に向けて発信する。つまり、表示処理部２１３は、ウィンドウ２０３を点滅表示させて、携帯情報端末１００に向けて情報を発信する。
【００３６】
また、表示処理部２１３（第１表示処理部）は、図３Ａに示すように、携帯情報端末１００に送る対象となるデータ（第１データ）を示す画像２０５（第１データ画像）を、表示画面２０２（第１表示画面）上の所定の位置（所定の第１領域）に表示させる。そして、操作検出部２１５（第１操作検出部）は、表示画面２０２上において、画像２０５がドラグアンドドロップ操作され、ウィンドウ２０３が表示された領域（第１領域）に向けて移動させる操作（第１操作）が行われたことを検出する。
このデータを示す画像の移動は、マウスなどの操作入力装置によるドラグアンドドロップ操作により行われてもよく、或いは、表示画面２０２上のタッチパネルに対するタッチ操作によりドラグアンドドロップ操作が行われてもよい。
そして、操作検出部２１５が、データを示す画像２０５をウィンドウ２０３の領域（第１領域）に移動させる操作（第１操作）を検出した場合に、指示情報生成部２１４は、クラウドサーバ３００に保存されたデータの保存場所のＵＲＬ情報と、このデータの保存を指示する情報とを含む「保存指示情報」を生成する。表示処理部２１３（指示画像表示部）は、この指示情報生成部２１４により生成された「保存指示情報」（指示画像）を、ウィンドウ２０３を点滅表示させることにより、携帯情報端末１００に向けて発信する。
【００３７】
データ入出力処理部２１６（第１入出力処理部）は、表示装置２００自身が保存して表示装置いるデータを携帯情報端末１００に送る場合に、自身が保存しているデータを、クラウドサーバ３００に対して送信して、クラウドサーバ３００（保存場所）に保存させる。この場合、表示処理部２１３は、クラウドサーバ３００に送信して、クラウドサーバ３００に保存させたデータの保存場所のＵＲＬ情報を含む「保存指示情報」を、表示画面２０２のウィンドウ２０３を点滅表示させることにより、携帯情報端末１００に向けて発信する。またデータ入出力処理部２１６は、携帯情報端末１００からクラウドサーバ３００に送信されたデータを、このクラウドサーバ３００を介して受信する。
【００３８】
［クラウドサーバ３００の構成］
クラウドサーバ３００は、通信処理部３１１と、データ入出力処理部３１２と、記憶部３２１と、を備えている。
通信処理部３１１は、通信ネットワーク１０を介して、携帯情報端末１００及び表示装置２００との間でデータの送受信を行う。
データ入出力処理部３１２は、表示装置２００からデータを受信して、受信したデータ領域３２２に保存するとともに、保存したデータの保存場所を示すＵＲＬ情報を表示装置２００に通知する。また、データ入出力処理部３１２は、携帯情報端末１００からデータを受信して、受信したデータ領域３２２に保存するとともに、保存したデータの保存場所を示すＵＲＬ情報を表示装置２００に通知する。
また、データ入出力処理部３１２は、携帯情報端末１００及び表示装置２００からのデータの送信要求を受信して、データ領域３２２に保存したデータ、或いは、自身が保存しているデータを、データの送信要求を送信した携帯情報端末１００又は表示装置２００に送信する。
【００３９】
［データ授受システム１における処理の流れ］
図５は、データ授受システム１において行われるデータ送受信処理の概要を示すフローチャートである。以下、図５を参照して、その処理の流れについて説明する。
最初に、携帯情報端末１００が表示装置２００の表示画面２０２に近接する位置に配置され、処理が開始されると（ステップＳ１０）、携帯情報端末１００と表示装置２００とは、相互に連携するためのコネクト処理を行う（ステップＳ２０）。このコネクト処理の詳細については、後述する。
【００４０】
そして、表示装置２００と携帯情報端末１００との間のコネクト処理が完了すると、続いて、表示装置２００と携帯情報端末１００との間におけるデータの送受信処理が、クラウドサーバ３００を介して行われる（ステップＳ３０）。このステップＳ３０におけるデータの送受信処理には、第１のケース（ケース１）として、表示装置２００から携帯情報端末１００に、クラウドサーバ３００を介してデータを送信する場合がある。また、第２のケース（ケース２）として、クラウドサーバ３００から携帯情報端末１００にデータが送信される場合がある。また、第３のケース（ケース３）として、携帯情報端末１００から表示装置２００に、クラウドサーバ３００を介してデータが送信される場合がある。携帯情報端末１００と表示装置２００とクラウドサーバ３００は、上記のそれぞれの場合に応じて、それぞれのケースに対応する処理を実施する。第１のケース、第２のケース、及び第３のケースのそれぞれのケースにおいて行われる処理の詳細については、後述する。
なお、クラウドサーバ３００を介して送信されるデータには、ファイル形式のデータの他、ファイル形式ではないデータ（例えばストリーミング型の動画データ）も含まれる。
【００４１】
そして、ステップＳ３０におけるデータの送受信処理が終了すると、携帯情報端末１００と表示装置２００とは、連携を解消するためのディスコネクト処理を行う（ステップＳ４０）。このディスコネクト処理の詳細については、後述する。
そして、このステップＳ４０のディスコネクト処理を実行した後に、携帯情報端末１００と表示装置２００とは、このデータの送受信処理を終了する（ステップＳ５０）。
【００４２】
図６は、携帯情報端末１００と表示装置２００との間のコネクト処理の流れを示すシーケンス図である。この図６に示すシーケンス図は、図５に示すフローチャートのステップＳ２０のコネクト処理の詳細な流れを示している。なお、この図６に示すコネクト処理は、タッチパネル式の表示画面２０２上に携帯情報端末１００を配置する場合（図２Ａを参照）のコネクト処理の流れを示しているが、携帯情報端末１００が表示画面２０２に近接した所定の位置に配置されたことを検出する場合（図２Ｂ参照）においても同様の処理が行われる。
以下、図６を参照して、携帯情報端末１００と表示装置２００との間のコネクト処理の流れについて説明する。
【００４３】
携帯情報端末１００における処理を開始できるようになり（ステップＳ１０１）、携帯情報端末１００が、表示画面２０２上に配置される（ステップＳ１０２）。
続いて、表示装置２００において、端末検出部２１２が、携帯情報端末１００が表示画面２０２上に配置されたことを検出して（ステップＳ１０３）、表示処理部２１３は、携帯情報端末１００の位置に応じた表示画面２０２の領域に、携帯情報端末１００を検出したことを示す円形のウィンドウ２０３を表示する（ステップＳ１０４）。
【００４４】
なお、図２Ｂに示すように、携帯情報端末１００が表示画面２０２に近接した所定の位置Ａに配置されたことを検出する場合、上記ステップＳ１０２は、携帯情報端末１００が表示装置２００Ａの所定の位置Ａに配置される動作となり、上記ステップＳ１０３の処理は、端末検出部２１２が、携帯情報端末１００が表示装置２００Ａの所定の位置Ａに配置されたことを検出する処理となる。また、上記ステップＳ１０４の処理は、表示画面２０２上の予め設定された所定の領域に、携帯情報端末１００を検出したことを示す円形のウィンドウ２０３を表示する処理となる。
【００４５】
続いて、データ入出力処理部２１６は、データ領域３２２を記憶部３２１に確保することを指示する「データ領域生成指示情報」を、クラウドサーバ３００に対して送信する（ステップＳ１０５）。このデータ領域３２２は、携帯情報端末１００と表示装置２００との間でデータの送受信を行う際に使用される。
【００４６】
続いて、クラウドサーバ３００は、表示装置２００から「データ領域生成指示情報」を受信すると、データ入出力処理部３１２が、記憶部３２１内にデータ領域３２２を生成する（ステップＳ１０６）。続いて、データ入出力処理部３１２は、記憶部３２１にデータ領域３２２が生成されたことを示す「データ領域生成完了情報」を表示装置２００に送信する（ステップＳ１０７）。この「データ領域生成完了情報」には、データ領域３２２の位置を示す「データ領域のＵＲＬ情報」が含まれている。
【００４７】
続いて、表示装置２００は、クラウドサーバ３００からデータ領域３２２が生成されたことを示す「データ領域生成完了情報」を受信すると、指示情報生成部２１４が、「データ領域のＵＲＬ情報」を含む「保存指示情報」を生成する。続いて、表示処理部２１３は、ウィンドウ２０３を点滅表示させることにより、「保存指示情報」を携帯情報端末１００に向けて発信する（ステップＳ１０８）。
続いて、携帯情報端末１００は、撮像部１１６のＣＣＤカメラにより、ウィンドウ２０３の点滅表示、つまり輝度値の時間的な変化を読み取り、表示装置２００から発信される「保存指示情報」を受信する（ステップＳ１０９）。
このステップＳ１０９の処理を実行することにより、携帯情報端末１００と表示装置２００との間のコネクト処理が完了する（ステップＳ１１０）。
【００４８】
このように、表示装置２００では、携帯情報端末１００が表示画面２０２上に配置されたことを検出することにより、或いは、携帯情報端末１００が表示画面２０２に近接した所定の位置に配置されたことを検出することにより、データ転送用のアプリケーションの起動操作と連動させることができる。このため、データ転送用のアプリケーション起動操作を簡略化することができる。
【００４９】
また、図７は、携帯情報端末１００と表示装置２００との間のディスコネクト処理の流れを示すシーケンス図である。この図７に示すフローチャートは、図５に示すフローチャートのステップＳ４０のディスコネクト処理の詳細な流れを示している。
なお、この図７に示すコネクト処理は、表示画面２０２上に配置された携帯情報端末１００（図２Ａを参照）を撤去する場合のディスコネクト処理の流れを示しているが、表示画面２０２に近接した所定の位置に配置された携帯情報端末１００（図２Ｂを参照）を撤去する場合においても同様の処理が行われる。
以下、図７を参照して、携帯情報端末１００と表示装置２００との間のディスコネクト処理の流れについて説明する。
【００５０】
ディスコネクト処理を開始できるようになり（ステップＳ２０１）、携帯情報端末１００が、表示画面２０２上から撤去される（ステップＳ２０２）。
【００５１】
続いて、表示装置２００において、端末検出部２１２が、携帯情報端末１００が表示画面２０２上から撤去されたことを検出して（ステップＳ２０３）、表示処理部２１３は、表示画面２０２上のウィンドウ２０３の表示を消去する（ステップＳ２０４）。
なお、図２Ｂに示すように、携帯情報端末１００が表示画面２０２に近接した所定の位置Ａに配置されたことを検出する場合、上記ステップＳ２０２は、携帯情報端末１００が表示装置２００Ａの所定の位置Ａから撤去される動作となり、上記ステップＳ２０３の処理は、端末検出部２１２が、携帯情報端末１００が表示装置２００Ａの所定の位置Ａから撤去されたことを検出する処理となる。また、上記ステップＳ２０４の処理は、表示画面２０２上の所定の領域に表示されたウィンドウ２０３を消去する処理となる。
続いて、データ入出力処理部２１６は、クラウドサーバ３００に対して、携帯情報端末１００と表示装置２００とでデータの送受信を行う際に使用したデータ領域３２２を記憶部３２１から消去することを指示する「データ領域消去指示情報」を送信する（ステップＳ２０５）。
【００５２】
続いて、クラウドサーバ３００は、表示装置２００から「データ領域消去指示情報」を受信すると、データ入出力処理部３１２が、記憶部３２１内のデータ領域３２２のデータを消去するとともに（ステップＳ２０６）、このデータ領域３２２も消去する（ステップＳ２０７）。
続いて、クラウドサーバ３００のデータ入出力処理部３１２は、データ領域３２２の消去が完了したことを示す「データ領域消去完了情報」を表示装置２００に送信する（ステップＳ２０８）。このステップＳ２０８の「データ領域消去完了情報」の送信処理を実行した後に、クラウドサーバ３００は、ディスコネクト処理を終了する（ステップＳ２０９）。
【００５３】
続いて、表示装置２００は、クラウドサーバ３００からデータ領域３２２が消去されたことを示す「消去完了情報」を受信すると（ステップＳ２１０）、表示装置２００は、このディスコネクト処理を終了する（ステップＳ２１１）。
【００５４】
一方、表示装置２００において、ウィンドウ２０３の表示が消去されると、携帯情報端末１００では、画像情報取得部１１５が、撮像部１１６により読み取ったウィンドウ２０３の輝度変化が一定時間途絶えていることを検出して（ステップＳ２１２）、クラウドサーバ３００との間のデータのアップロードとダウンロードとを停止する（ステップＳ２１３）。そして、このステップＳ２１３の処理を実行した後に、携帯情報端末１００は、このディスコネクト処理を終了する（ステップＳ２１４）。
【００５５】
このように、表示装置２００では、携帯情報端末１００をタッチパネル式の表示画面２０２上から撤去されたこと検出することにより、或いは、携帯情報端末１００が表示画面２０２に近接した所定の位置から撤去されたことを検出することにより、データ転送用のアプリケーションの停止操作と連動させることができる。このため、データ転送用のアプリケーション停止操作を簡略化することができる。
さらには、携帯情報端末１００の配置時ごとに、クラウドサーバ３００上に表示装置２００と携帯情報端末１００との間で移動させるデータを保存するデータ領域３２２を生成し、携帯情報端末１００の撤去と同時に、このデータ領域３２２を内部のデータごと一回ごとに消去することで、クラウドサーバ３００から情報が漏洩することを回避できる。
【００５６】
また、図８は、表示装置２００のデータを携帯情報端末１００に送信する処理の流れを示すシーケンス図である。この図８に示すシーケンス図は、図５に示すフローチャートのステップＳ３０の処理において、ケース１の処理、つまり、表示装置２００に保存されたデータを、クラウドサーバ３００を介して携帯情報端末１００に送信する処理の詳細な流れを示している。以下、図８を参照して、その処理の流れについて説明する。
【００５７】
最初に、表示装置２００においてデータの送信処理を開始できるようになり（ステップＳ３０１）、ユーザは、表示画面２０２上で、移動対象となるデータを示す画像２０５（図３Ａ参照）のドラグアンドドロップ操作を行い、このデータの移動指示が行われたことを、操作検出部２１５が検出する（ステップＳ３０２）。この表示画面２０２上でのデータの移動指示は、マウスなどを用いたドラグアンドドロップ操作か、又は、表示画面２０２のタッチパネル上でのタッチ操作によるドラグアンドドロップ操作により行われる。
【００５８】
続いて、表示装置２００のデータ入出力処理部２１６は、移動対象となるデータをクラウドサーバ３００にアップロードする（ステップＳ３０３）。
続いて、クラウドサーバ３００のデータ入出力処理部３１２は、表示装置２００からアップロードされるデータを受信して（ステップＳ３０４）、受信したデータをデータ領域３２２に保存する。
【００５９】
続いて、クラウドサーバ３００のデータ入出力処理部３１２は、表示装置２００からアップロードされたデータをデータ領域３２２に保存したことを示す情報と、データの保存場所を示すＵＲＬ情報と、を含む「受信完了情報」を表示装置２００に送信する（ステップＳ３０５）。
続いて、表示装置２００は、クラウドサーバ３００から「受信完了情報」を受信すると、表示処理部２１３は、表示画面２０２のウィンドウ２０３を点滅表示させて、データの保存場所を示すＵＲＬ情報を含みダウンロード指示を示す「ダウンロード指示情報」を、携帯情報端末１００に向けて発信する（ステップＳ３０６）。
【００６０】
続いて、携帯情報端末１００は、撮像部１１６により、表示装置２００の表示画面２０２のウィンドウ２０３の点滅表示、つまり、ウィンドウ２０３の輝度値の時間的な変化を読み取ることにより、画像情報取得部１１５が、「ダウンロード指示情報」を受信する（ステップＳ３０７）。
続いて、携帯情報端末１００のデータ入出力処理部１１２は、クラウドサーバ３００に対して、ＵＲＬ情報に基づいてクラウドサーバ３００にリンクして、データ領域３２２に保存されたデータの送信を要求する「データ要求情報」を送信する（ステップＳ３０８）。
続いて、クラウドサーバ３００は、携帯情報端末１００から「データ要求情報」を受信すると（ステップＳ３０９）、データ入出力処理部３１２は、記憶部３２１のデータ領域３２２に保存したデータを携帯情報端末１００に送信する（ステップＳ３１０）。
【００６１】
続いて、携帯情報端末１００は、データ入出力処理部１１２により、クラウドサーバ３００から送信されるデータをダウンロードして、記憶部１２１に保存する（ステップＳ３１１）。このステップＳ３１２の処理を実行した後に、携帯情報端末１００は、携帯情報端末１００と表示装置２００との間のデータの送受信処理を終了する（ステップＳ３１２）。
上記処理の手順により、表示装置２００は、自身が保存するデータを、ドラグアンドドロップ操作を用いた簡易な方法により、クラウドサーバ３００を介して、携帯情報端末１００に保存させることができる。
【００６２】
また、図９は、クラウドサーバ３００のデータを携帯情報端末１００に送信する処理の流れを示すシーケンス図である。この図９に示すシーケンス図は、図５に示すフローチャートのステップＳ３０の処理において、ケース２の処理、つまり、クラウドサーバ３００に保存されたデータを携帯情報端末１００に送信する処理の詳細な流れを示している。以下、図９を参照して、その処理の流れについて説明する。
【００６３】
最初に、表示装置２００においてデータの送信処理を開始できるようになると（ステップＳ４０１）、ユーザは、表示画面２０２上で、移動対象となるデータを示す画像２０５（図３Ａ参照）のドラグアンドドロップ操作を行い、このデータの移動指示が行われたことを、操作検出部２１５が検出する（ステップＳ４０２）。この表示画面２０２上でのデータの移動指示は、マウスなどを用いたドラグアンドドロップ操作か、又は、表示画面２０２のタッチパネル上でのタッチ操作によるドラグアンドドロップ操作により行われる。
【００６４】
続いて、表示装置２００のデータ入出力処理部２１６は、移動対象となるデータへのリンク要求を示す「リンク要求情報」をクラウドサーバ３００に送信する（ステップＳ４０３）。
続いて、クラウドサーバ３００のデータ入出力処理部３１２は、表示装置２００から「リンク要求情報」を受信すると（ステップＳ４０４）、データへのリンクを許可とリンク先のＵＲＬ情報と示す「リンク情報」を表示装置２００に送信する（ステップＳ４０５）。
【００６５】
続いて、表示装置２００は、クラウドサーバ３００から「リンク情報」を受信すると（ステップＳ４０６）、データ入出力処理部２１６は、クラウドサーバ３００から受信した「リンク情報」を携帯情報端末１００に向けて発信する（ステップＳ４０７）。この「リンク情報」の発信は、表示処理部２１３が、表示画面２０２のウィンドウ２０３を点滅表示させることにより行われる。
【００６６】
続いて、携帯情報端末１００は、撮像部１１６により、表示装置２００の表示画面２０２のウィンドウ２０３の点滅表示、つまり、ウィンドウ２０３の輝度値の時間的な変化を読み取ることにより、画像情報取得部１１５が、表示装置２００から「リンク情報」を受信する（ステップＳ４０８）。
続いて、携帯情報端末１００のデータ入出力処理部１１２は、表示装置２００から受信した「リンク情報」に基づいて、移動対象となるデータの送信をクラウドサーバ３００に対して要求する「データ要求情報」を、クラウドサーバ３００に対して送信する（ステップＳ４０９）。
続いて、クラウドサーバ３００は、携帯情報端末１００から「データ要求情報」を受信すると（ステップＳ４１０）、データ入出力処理部３１２は、要求されたデータを記憶部３２１から抽出して携帯情報端末１００に送信する（ステップＳ４１１）。
【００６７】
続いて、携帯情報端末１００は、データ入出力処理部１１２により、クラウドサーバ３００から送信されるデータをダウンロードして、記憶部１２１に保存する（ステップＳ４１２）。このステップＳ４１２の処理を実行した後に、クラウドサーバ３００と携帯情報端末１００との間のデータの送受信処理が終了する（ステップＳ４１３）。
上記処理の手順により、表示装置２００は、クラウドサーバ３００に保存されたデータを、ドラグアンドドロップ操作を用いた簡易な方法により、携帯情報端末１００に保存させることができる。
【００６８】
また、図１０は、携帯情報端末１００のデータを表示装置２００に送信する処理の流れを示すシーケンス図である。この図１０に示すシーケンス図は、図５に示すフローチャートのステップＳ３０の処理において、ケース３の処理、つまり、携帯情報端末１００に保存されたデータを表示装置２００に送信する処理の詳細な流れを示している。以下、図１０を参照して、その処理の流れについて説明する。
【００６９】
最初に、携帯情報端末１００においてデータの送信処理が開始されると（ステップＳ５０１）、ユーザは、表示画面１０２上で、移動対象となるデータを示す画像１０３（図３Ｂを参照）のドラグアンドドロップ操作を行い、このデータの移動指示が行われたことを、操作検出部１１４が検出する（ステップＳ５０２）。この表示画面上でのデータの移動指示は、例えば、表示画面１０２のタッチパネル上でのタッチ操作によるドラグアンドドロップ操作により行われる。
【００７０】
続いて、携帯情報端末１００のデータ入出力処理部１１２は、移動対象となるデータをクラウドサーバ３００にアップロードする（ステップＳ５０３）。
続いて、クラウドサーバ３００のデータ入出力処理部３１２は、携帯情報端末１００からアップロードされたデータを受信すると（ステップＳ５０４）、受信したデータをデータ領域３２２に保存する。
続いて、クラウドサーバ３００のデータ入出力処理部３１２は、携帯情報端末１００からアップロードされたデータを受信してデータ領域３２２に保存したことを示す「データ受信情報」を表示装置２００に通知する（ステップＳ５０５）。
【００７１】
続いて、表示装置２００は、クラウドサーバ３００から「データ受信情報」を受信すると（ステップＳ５０６）、データ入出力処理部２１６は、データの送信を要求する「データ要求情報」をクラウドサーバ３００に送信する（ステップＳ５０７）。
続いて、クラウドサーバ３００は、表示装置２００から「データ要求情報」を受信すると（ステップＳ５０８）、データ入出力処理部３１２は、記憶部３２１のデータ領域３２２に保存したデータを表示装置２００に送信する（ステップＳ５０９）。
【００７２】
続いて、表示装置２００は、データ入出力処理部２１６により、クラウドサーバ３００から送信されるデータをダウンロードして、記憶部２２１に保存する（ステップＳ５１０）。このステップＳ５１０の処理を実行した後に、携帯情報端末１００と表示装置２００との間のデータの送受信処理が終了する（ステップＳ５１１）。
上記処理の手順により、携帯情報端末１００に保存されたデータを、ドラグアンドドロップ操作を用いた簡易な方法により、表示装置２００に保存させることができる。
【００７３】
以上、本発明の実施形態について説明したが、上述した携帯情報端末１００、表示装置２００、表示装置２００Ａ、及びクラウドサーバ３００を構成する各処理部は専用のハードウェアにより実現されるものであってもよく、また、各処理部の機能を実現するためのプログラムをコンピュータ読み取り可能な記録媒体に記録して、この記録媒体に記録されたプログラムをコンピュータシステムに読み込ませ、実行することによりその機能を実現させるものであってもよい。
【００７４】
すなわち、携帯情報端末１００、表示装置２００、表示装置２００Ａ、及びクラウドサーバ３００は内部にコンピュータシステムを有している。そして、上述した処理に関する一連の処理の過程は、プログラムの形式でコンピュータ読み取り可能な記録媒体に記憶されており、このプログラムをコンピュータが読み出して実行することによって、上記処理が行われる。ここで、コンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。また、ここでいう「コンピュータシステム」とは、ＯＳや周辺機器等のハードウェアを含むものとする。
【００７５】
また、ここで、本発明と上述した実施形態との対応関係について補足して説明する。
すなわち、本発明における携帯情報端末は、携帯情報端末１００が対応し、本発明における表示装置は、表示装置２００又は表示装置２００Ａ（図２Ｂを参照）何れか又は両方が対応し、表示装置２００及び表示装置２００Ａを総称する場合は、表示装置２００と呼ぶ。また、本発明における第１表示パネルは、表示装置２００の第１表示パネル２０１が対応し、本発明における第２表示パネルは、携帯情報端末１００の第２表示パネル１０１が対応する。
【００７６】
また、本発明における第１表示処理部は、表示装置２００の表示処理部２１３が対応し、本発明における第２表示処理部は、携帯情報端末１００の表示処理部１１３が対応する。また、本発明における第１入出力処理部は、表示装置２００のデータ入出力処理部２１６が対応し、本発明における第２入出力処理部は、携帯情報端末１００のデータ入出力処理部１１２が対応する。また、本発明における第１操作検出部は、表示装置２００の操作検出部２１５が対応し、本発明における第２操作検出部は、携帯情報端末１００の操作検出部１１４が対応する。また、本発明における撮像部は、携帯情報端末１００の撮像部１１６が対応し、本発明における情報取得部は、携帯情報端末１００の画像情報取得部１１５が対応する。
【００７７】
（１）そして、上記実施形態において、上記実施形態において、データ授受システム１は、表示装置２００と携帯情報端末１００とを備える。データ授受システム１における表示装置２００は、画像を表示する表示画面２０２（第１表示画面）を有する第１表示パネル２０１と、表示画面２０２（第１表示画面）に携帯情報端末１００が近接したことを検出する端末検出部２１２と、端末検出部２１２により携帯情報端末１００が近接したことを検出した場合に、クラウドサーバ３００（他の装置）におけるデータの保存場所の情報を示す画像であるウィンドウ２０３（保存場所画像）を表示画面２０２（第１表示画面）に表示させる表示処理部（第１表示処理部）２１３と、を備える。
【００７８】
このような構成のデータ授受システム１において、表示画面２０２（第１表示画面）に携帯情報端末１００が近接したことを検出した場合に、表示装置２００は、クラウドサーバ３００（他の装置）におけるデータの保存場所の情報を示すウィンドウ２０３（保存場所画像）を表示画面２０２に表示する。
このように、データ授受システム１では、表示装置２００は、携帯情報端末１００が近接したことを検出し、その検出によって、他の装置におけるデータの保存場所の情報を画像で表示画面２０２（第１表示画面）に表示することができる。データの保存場所の情報は、ウィンドウ２０３（保存場所画像）として表示画面２０２に表示させる。
これにより、データ授受システム１は、携帯情報端末１００と表示装置２００との間のケーブルの接続や無線によるペアリング操作等を行うことなく、携帯情報端末１００と表示装置２００との間で、他の装置を介してデータを授受することができる。例えば、他の装置にクラウドサーバ３００を適用してもよい。
【００７９】
（２）また、上記実施形態において、携帯情報端末１００は、撮像部１１６と、撮像部１１６が撮像した保存場所画像に基づき、保存場所であるクラウドサーバ３００の情報を取得する画像情報取得部（情報取得部）１１５と、を備える。
このような構成の携帯情報端末１００であれば、画像情報取得部（情報取得部）１１５は、撮像部１１６が撮像した保存場所画像に基づき、保存場所であるクラウドサーバ３００の情報を取得する。
これにより、データ授受システム１は、携帯情報端末１００と表示装置２００との間のケーブルの接続や無線によるペアリング操作等を行うことなく、携帯情報端末１００と表示装置２００との間で、クラウドサーバ３００（他の装置）を介してデータを授受することができる。
【００８０】
（３）また、上記実施形態において、表示装置２００は、保存場所であるクラウドサーバ３００に保存されたデータを取得し、または、前記保存場所にデータを保存するデータ入出力処理部２１６（第１入出力処理部）をさらに備え、携帯情報端末１００は、前記保存場所に保存されたデータを取得し、または、前記保存場所にデータを保存するデータ入出力処理部１１２（第２入出力処理部）を備える。
このような構成の表示装置２００であれば、データ入出力処理部２１６は、保存場所であるクラウドサーバ３００に保存されたデータを取得し、または、前記保存場所にデータを保存する。また、このような構成の携帯情報端末１００であれば、データ入出力処理部１１２は、前記保存場所に保存されたデータを取得し、または、前記保存場所にデータを保存する。
これにより、データ授受システム１は、携帯情報端末１００と表示装置２００との間のケーブルの接続や無線によるペアリング操作等を行うことなく、携帯情報端末１００と表示装置２００との間で、クラウドサーバ３００（他の装置）を介してデータを授受することができる。
【００８１】
（４）また、上記実施形態において、表示処理部２１３（第１表示処理部）は、携帯情報端末１００に送る第１データを示す画像である第１データ画像を表示画面２０２（第１表示画面）に表示させるとともに、前記第１データ画像を所定の第１領域に移動させる第１操作を検出する操作検出部２１５（第１操作検出部）と、操作検出部２１５が前記第１操作を検出した場合に、前記第１データの取得の指示情報を示す画像である指示画像を表示画面２０２（第１表示画面）に表示させる指示情報生成部２１４（指示画像表示部）と、をさらに備える。画像情報取得部１１５（情報取得部）は、撮像部１１６が撮像した前記指示画像に基づき、前記指示情報をさらに取得する。
このような構成の表示装置２００であれば、表示処理部２１３（第１表示処理部）は、携帯情報端末１００に送る第１データを示す画像である第１データ画像を表示画面２０２（第１表示画面）に表示させる。操作検出部２１５（第１操作検出部）は、前記第１データ画像を所定の第１領域に移動させる第１操作を検出する。指示情報生成部２１４は、操作検出部２１５が前記第１操作を検出した場合に、前記第１データの取得の指示情報を示す画像である指示画像を表示画面２０２（第１表示画面）に表示させる。
これにより、データ授受システム１は、携帯情報端末１００と表示装置２００との間のケーブルの接続や無線によるペアリング操作等を行うことなく、携帯情報端末１００と表示装置２００との間で、クラウドサーバ３００（他の装置）を介してデータを授受することができる。
【００８２】
（５）また、上記実施形態において、操作検出部２１５（第１操作検出部）が前記第１操作を検出した場合に、データ入出力処理部２１６（第１入出力処理部）は、前記保存場所に前記第１データを保存し、画像情報取得部１１５（情報取得部）が前記指示情報を取得した場合に、データ入出力処理部１１２（第２入出力処理部）は、前記保存場所に保存された前記第１データを取得する。
これにより、データ授受システム１は、携帯情報端末１００と表示装置２００との間のケーブルの接続や無線によるペアリング操作等を行うことなく、携帯情報端末１００と表示装置２００との間で、クラウドサーバ３００（他の装置）を介して、上記の第１データを授受することができる。
【００８３】
（６）また、上記実施形態において、前記所定の第１領域は、携帯情報端末１００の近接した、表示画面２０２（第１表示画面）の一部の領域である。
このような構成の表示装置２００であれば、操作検出部２１５（第１操作検出部）は、前記第１データ画像を所定の第１領域である、表示画面２０２（第１表示画面）の一部の領域に移動させる第１操作を検出する。
これにより、データ授受システム１は、携帯情報端末１００と表示装置２００との間のケーブルの接続や無線によるペアリング操作等を行うことなく、表示画面２０２（第１表示画面）の一部の領域に移動させる第１操作を検出することに起因して、携帯情報端末１００と表示装置２００との間で、クラウドサーバ３００（他の装置）を介してデータを授受することができる。
【００８４】
（７）また、上記実施形態において、携帯情報端末１００は、画像を表示する第２表示画面を有する第２表示パネル１０１と、表示装置２００に送る第２データを示す画像である第２データ画像を前記第２表示画面に表示させる表示処理部１１３（第２表示処理部）と、前記第２データ画像を所定の第２領域に移動させる第２操作を検出する操作検出部１１４（第２操作検出部）と、をさらに備える。操作検出部１１４が前記第２操作を検出した場合に、データ入出力処理部１１２（第２入出力処理部）は、前記保存場所に前記第２データを保存する。データ入出力処理部２１６（第１入出力処理部）は、前記保存場所に保存された前記第２データを取得する。
このような構成の携帯情報端末１００であれば、第２表示パネル１０１は、画像を表示する第２表示画面を有する。表示処理部１１３（第２表示処理部）は、第２表示パネル１０１と、表示装置２００に送る第２データを示す画像である第２データ画像を前記第２表示画面に表示させる。操作検出部１１４（第２操作検出部）は、前記第２データ画像を所定の第２領域に移動させる第２操作を検出する。操作検出部１１４が前記第２操作を検出した場合に、データ入出力処理部１１２（第２入出力処理部）が、前記保存場所に前記第２データを保存して、データ入出力処理部２１６（第１入出力処理部）は、前記保存場所に保存された前記第２データを取得する。
これにより、データ授受システム１は、携帯情報端末１００と表示装置２００との間のケーブルの接続や無線によるペアリング操作等を行うことなく、携帯情報端末１００と表示装置２００との間で、クラウドサーバ３００（他の装置）を介してデータを授受することができる。
【００８５】
（８）また、上記実施形態において、表示処理部１１３（第２表示処理部）は、表示装置２００を示す画像である表示装置画像を表示画面１０２（第２表示画面）に表示させる。前記所定の第２領域は、前記表示装置画像の表示された、前記第２表示画面の一部の領域である。
このような構成の携帯情報端末１００であれば、表示処理部１１３（第２表示処理部）は、表示装置２００を示す画像である表示装置画像を表示画面１０２（第２表示画面）に表示させる。第２データ画像を移動させる先にある所定の第２領域は、前記表示装置画像の表示された表示画面１０２（第２表示画面）の一部の領域である。
これにより、データ授受システム１は、携帯情報端末１００と表示装置２００との間のケーブルの接続や無線によるペアリング操作等を行うことなく、表示画面１０２に表示された情報に基づいて、携帯情報端末１００と表示装置２００との間で、クラウドサーバ３００（他の装置）を介してデータを授受することができる。
【００８６】
（９）また、上記実施形態において、前記保存場所画像は、時間の経過に応じて輝度値を変化させた画像である。
このような構成の表示装置２００は、保存場所画像の輝度値を時間の経過に応じて変化させて、その保存場所画像を表示する。
これにより、データ授受システム１は、携帯情報端末１００と表示装置２００との間のケーブルの接続や無線によるペアリング操作等を行うことなく、表示画面２０２に表示された保存場所画像の輝度値を変化させて携帯情報端末１００情報を送ることができ、携帯情報端末１００と表示装置２００との間で、クラウドサーバ３００（他の装置）を介してデータを授受することができる。
【００８７】
以上、本発明の実施の形態について説明したが、本発明のデータ授受システムは、上述の図示例にのみ限定されるものではなく、本発明の要旨を逸脱しない範囲内において種々変更を加え得ることは勿論である。
例えば、本発明は、プロジェクタにも好適に用いることができる。
図１１は、本発明のデータ授受システムをプロジェクタに適用した例を示す説明図である。この図１１に示すプロジェクタ４００は、光源ランプ（不図示）から出る光を液晶パネル（不図示）に透過させて、レンズ４０１を通してスクリーン４０２上に表示画像４０３を投写する。また、プロジェクタ４００は、内蔵表示装置４１０と、画像補正用の撮像部４２０と備えている。
【００８８】
そして、このプロジェクタ４００は、撮像部４２０により携帯情報端末１００が近接したことを検出する。そして、プロジェクタ４００は、携帯情報端末１００が近接したことを検出した場合に、内蔵表示装置４１０の制御により、表示画像４０３の所定の領域に、携帯情報端末１００を検出したことを示す画像４０５と、この画像４０５を囲う円形のウィンドウ４０４を表示する。また、プロジェクタ４００は、撮像部４２０により、携帯情報端末１００が撤去されたことを検出した場合に、表示画像４０３に表示した画像４０５と円形のウィンドウ４０４とを消去する。
【００８９】
そして、プロジェクタ４００は、例えば、上述した表示装置２００の場合と同様に、クラウドサーバ３００に保存されたデータの保存場所のＵＲＬ情報を含む「保存指示情報」を生成し、この「保存指示情報」を、ウィンドウ２０３を点滅表示させることにより、携帯情報端末１００に向けて発信する。
これにより、プロジェクタ４００と携帯情報端末１００とは、ケーブルの接続や無線によるペアリング操作等を行うことなく、クラウドサーバ３００を介して、データを授受することができる。
【産業上の利用可能性】
【００９０】
本発明は、ケーブルの接続や無線によるペアリング操作等を行うことなく、携帯情報端末と情報処理装置との間でデータを授受することができるので、データ授受システム、情報処理装置、携帯情報端末、データ授受方法、及びプログラムに適用できる。
【符号の説明】
【００９１】
１・・・データ授受システム、１０・・・通信ネットワーク、
１００・・・携帯情報端末、１０１・・・第２表示パネル、
１０２・・・表示画面（第２表示画面）、１１１・・・通信処理部、
１１２・・・データ入出力処理部（第２入出力処理部）、
１１３・・・表示処理部（第２表示処理部）、
１１４・・・操作検出部（第２操作検出部）、
１１５・・・画像情報取得部（情報取得部）、
１１６・・・撮像部、１２１・・・記憶部
２００、２００Ａ・・・表示装置、２０１・・・第１表示パネル、
２０２・・・表示画面（第１表示画面）、２１１・・・通信処理部、
２１２・・・端末検出部、２１３・・・表示処理部（第１表示処理部）、
２１４・・・指示情報生成部、２１５・・・操作検出部（第１操作検出部）、
２１６・・・データ入出力処理部（第１入出力処理部）、
２２１・・・記憶部、
３００・・・クラウドサーバ、
３１１・・・通信処理部、３１２・・・データ入出力処理部、
３２１・・・記憶部、３２２・・・データ領域、
４００・・・プロジェクタ
【図１】
2015173907.tif 000003
【図２Ａ】
2015173907.tif 000004
【図２Ｂ】
2015173907.tif 000005
【図３Ａ】
2015173907.tif 000006
【図３Ｂ】
2015173907.tif 000007
【図４】
2015173907.tif 000008
【図５】
2015173907.tif 000009
【図６】
2015173907.tif 000010
【図７】
2015173907.tif 000011
【図８】
2015173907.tif 000012
【図９】
2015173907.tif 000013
【図１０】
2015173907.tif 000014
【図１１】
2015173907.tif 000015
【国際調査報告】
2015173907.tif 000016
2015173907.tif 000017
2015173907.tif 000018
2015173907.tif 000019